【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】 位相ロック・ループを制御する方法であって、該位相ロック・ループが、該位相ロック・ループの出力に補正を施すためにバイアス電流源を必要とする充電ポンプを有する、方法であって、
ａ）いつ前記位相ロック・ループがロック状態にあるかを検出する工程と、
ｂ）前記位相ロック・ループが前記ロック状態にあるときに前記電流源を周期的にイネーブルしディスエーブルする工程と、 を含む、方法。
【請求項２】 前記位相ロック・ループが前記位相ロック状態にないときに前記電流源をイネーブルする工程をさらに含む、請求項１記載の方法。
【請求項３】 前記電流源を周期的にイネーブルしディスエーブルする工程が、
立下りエッジ及び立上りエッジを有する一連のパルスを含む周期基準信号を受け取る工程と、
選択された第１の信号エッジの到着前に前記電流源をイネーブルする工程と、
後続の第２の信号エッジの到着前に前記電流源をディスエーブルする工程とを備える、 請求項１記載の方法。
【請求項４】 前記第１の信号エッジ及び前記第２の信号エッジが立上り信号エッジである、請求項３記載の方法。
【請求項５】 前記第１の信号エッジ及び前記第２の信号エッジが立下り信号エッジである、請求項３記載の方法。
【請求項６】 前記第１の信号エッジ及び前記第２の信号エッジが前記基準信号の連続パルスからである、請求項３記載の方法。
【請求項７】 前記電流源を周期的にイネーブルしディスエーブルする工程が、スイッチを閉じたり開く工程を含み、
前記スイッチが、閉じられると、前記電流源を前記充電ポンプの出力に動作上接続する、 請求項１記載の方法。
【請求項８】 位相ロック・ループを制御する方法であって、該位相ロック・ループが位相検波器と充電ポンプとを有し、該充電ポンプが前記位相ロック・ループの出力に補正を施すためにバイアス電流を必要とする、方法であって、
ａ）複数の信号エッジを有する基準信号を前記位相検波器で受け取る工程と、
ｂ）前記位相ロック・ループについてロック状態を検出し、前記充電ポンプの前記バイアス電流をターンオフする工程と、
ｃ）その後、前記基準信号内の選択された信号エッジの到着に先立ち前記充電ポンプの前記バイアス電流をターンオンする工程と、
ｄ）その後、前記選択されたエッジが到着してから所定の時間後に前記充電ポンプの前記バイアス電流をターンオフする工程と、
を含む、方法。
【請求項９】 前記基準信号が基準発振器によって供給され、
前記方法が、基準発振器からの前記選択された信号エッジの到着を予測する工程を更に含む、 請求項８記載の方法。
【請求項１０】 前記位相ロック・ループについてロック状態を検出するのに先立ち前記バイアス電流をターンオンする工程を更に含む、請求項８記載の方法。
【請求項１１】 前記基準信号が周期的であり、
前記所定の時間が前記基準信号の周期よりも実質的に短い、
請求項８記載の方法。
【請求項１２】 前記検出する工程の後に、前記基準信号の選択された信号エッジの到着に先立ち前記バイアス電流をターンオンする工程及びその後所定の時間後に前記バイアス電流をターンオフする工程の両方を繰り返す工程を更に含む、請求項８記載の方法。
【請求項１３】 前記基準信号が周期的であり、
前記所定の時間が前記基準信号の周期よりも実質的に短い、
請求項１２記載の方法。
【請求項１４】 前記バイアス電流を繰り返しターンオンする工程及び前記バイアス電流を繰り返しターンオフする工程が、前記バイアス電流について約１０パーセントのデューティサイクルを生じさせる、請求項１３記載の方法。
【請求項１５】 基準源から引き出されたかつ複数の信号エッジを有する基準信号に応答する位相ロック・ループであって、
ａ）バイアス電流源を有する充電ポンプと、
ｂ）該充電ポンプ用の前記バイアス電流源を選択的にイネーブルするように動作するスイッチと、
を具備し、
ｃ）前記スイッチが、前記位相ロック・ループがロック状態にあるときに前記複数の信号エッジの一つの受取りに先立ち前記電流源をイネーブルするとともに前記信号エッジの受取りの後に前記電流源をディスエーブルする、
位相ロック・ループ。
【請求項１６】 いつ前記位相ロック・ループが前記ロック状態にあるかを検出するために前記スイッチに動作上接続されたロック検出回路を更に具備する、請求項１５記載の位相ロック・ループ。
【請求項１７】 前記ロック検出回路と前記スイッチとの間に接続されたバイアスイネーブル回路を更に具備し、 該バイアスイネーブル回路が前記スイッチを制御するように動作する、 請求項１６記載の位相ロック・ループ。
【請求項１８】 前記充電ポンプに接続されたかつ該充電ポンプの出力を受け取る電圧制御発振器を更に具備する、請求項１５記載の位相ロック・ループ。
【請求項１９】 基準分周器を更に具備し、 該基準分周器が前記基準信号を引き出す、 請求項１５記載の位相ロック・ループ。
【請求項２０】 ａ）位相検波器と、
ｂ）該位相検波器に動作上接続されたかつ電流源を含む充電ポンプと、
ｃ）制御入力と出力とを有する電圧制御発振器であって、前記制御入力が前記充電ポンプに動作上接続され、前記出力が前記位相検波器の入力に動作上接続されている、電圧制御発振器と、
ｄ）いつ前記位相ロック・ループがロック状態にあるかを検出するように動作するロック検出回路と、
ｅ）前記充電ポンプ及び前記ロック検波回路に接続された制御論理であって、
ｉ）前記位相ロック・ループが前記ロック状態にないときに前記電流源をイネーブルし、
ｉｉ）前記位相ロック・ループが前記ロック状態にあるときに前記電流源を周期的にイネーブルしディスエーブルする、
制御論理と、
を具備する、位相ロック・ループ。
【請求項２１】 ａ）周波数合成器に動作上接続された受信機と、
ｂ）複数の信号エッジを有する周期信号を発生するかつ前記周波数合成器に接続された基準源と、
ｃ）位相ロック・ループを有するかつ前記周期信号を受け取る前記周波数合成器と、
ｄ）前記位相ロック・ループであって、
ｉ）バイアス電流源を有する充電ポンプと、
ｉｉ）前記充電ポンプ用の前記バイアス電流源を選択的にイネーブルするスイッチと、
を含み、
ｉｉｉ）前記スイッチが、前記位相ロック・ループがロック状態にあるときに前記複数の信号エッジの１つの受取りに先立ち前記電流源をイネーブルするとともに前記信号エッジの受取りの後に前記電流源をディスエーブルする、
位相ロック・ループと、
を具備する、無線通信移動端末。
【請求項２２】 充電ポンプが制御信号を発生し、
前記位相ロック・ループが、該位相ロック・ループの出力信号を発生するために前記制御信号に応答する電圧制御発振器を更に含む、
請求項２１記載の移動端末。
【請求項２３】 前記位相ロック・ループが、複数の信号エッジを有する基準信号を発生するために前記周期信号を分周する基準分周器を含み、
前記スイッチが、前記位相ロック・ループがロック状態にあるときに、前記基準分周器からの前記複数の信号エッジの１つの受取りに先立ち前記電流源をイネーブルするとともに前記基準分周器からの前記信号エッジの受取り後に前記電流源をディスエーブルする、
請求項２１記載の移動端末。
【請求項２４】 前記位相ロック・ループが、
該位相ロック・ループがロック状態にあるときにロック信号を発生するロック検出回路と、
前記スイッチを制御するとともに前記ロック信号を受け取る論理回路と、
を更に含み、
前記論理回路が、前記ロック信号に応答して前記複数の信号エッジの１つの受取りに先立ち前記電流源をイネーブルするとともに前記信号エッジの受取り後に前記電流源をディスエーブルする、
請求項２１記載の移動端末。
【請求項２５】 前記論理回路が、前記信号エッジの到着前の所定の期間前記バイアス電流をイネーブルする、請求項２４記載の移動端末。
【請求項２６】 前記論理回路が、次の後続の信号エッジの到着前に前記バイアス電流源を前記スイッチにディスエーブルさせる、請求項２４記載の移動端末。
【請求項２７】 前記スイッチが、前記位相ロック・ループが前記ロック状態にあるときに、前記電流源に８０パーセントよりも小さいデューティサイクルを取らせる、請求項２３記載の移動端末。
【請求項２８】 前記スイッチが、前記位相ロック・ループが前記ロック状態にあるときに、前記電流源に５０パーセントよりも小さいデューティサイクルを取らせる、請求項２７記載の移動端末。